(57)【要約】【課題】この発明は、電工ナイフでの作業を補助するためのもので、熟練を必要とせずに架空電線の被覆に対し架空電線の円周方向に切り込みを確実に形成可能にした架空電線の被覆切り込み補助用器具を提供することを目的とする。【解決手段】架空電線の被覆切り込み補助用器具１は、切断用具の刃部１０１を装着する刃部装着部２を有する第１の構造体４と、架空電線２００を載せる架空電線載せ部３を有する第２の構造体１０とを備える。架空電線載せ部３に架空電線２００を載せ、刃部装着部２の連接部５３に刃部１０１の背を当接させつつ刃部装着部２の立設部５１、５２間に刃部１０１を進め、刃部１０１の刃が架空電線２００の被覆２０２に接した状態で刃部１０１を斜め下方に傾けることで、刃部１０１で被覆２０２が切り込まれる。更に切断用具１００と架空電線の被覆切り込み補助用器具１とを回転させることで、被覆２０２に架空電線２００の円周方向に切り込みが形成される。【選択図】図８
2017212788.tif 000002
【特許請求の範囲】
【請求項１】
刃先及び前記刃先とは反対側に位置する背を有する刃部を備えた切断用具の前記刃部による架空電線の被覆の切り込みを補助するための架空電線の被覆切り込み用補助器具であって、
刃部装着部と架空電線載せ部とを有し、
前記刃部装着部は、前記切断用具の刃部が前記背を上方にしてその間に配置される２つの立設部と、前記２つの立設部同士を当該立設部の上端側にて連接し、前記刃部の背に上方から当接することができる連接部とを備え、
前記架空電線載せ部は、前記刃部装着部の前記立設部よりも下方に配置されて、前記架空電線に下方から当接することができる載せ部本体を有することを特徴とする架空電線の被覆切り込み用補助器具。
【請求項２】
前記刃部装着部を、前記２つの立設部及び、前記２つの立設部同士を当該立設部の上端側にて連接する前記連接部を有する本体部材と、前記本体部材に連結された連結部材とを有する第１の構造体として備え、
前記架空電線載せ部を、前記第１の構造体とは別体であると共に、前記第１の部材の前記２つの立設部よりも外側にそれぞれ配置された２つの外側立板部と、前記２つの外側立設部を連接した前記載せ部本体とを有する第２の構造体として備え、
前記第１の構造体は、前記連接部の前記載せ部本体からの距離を調整することが可能なように、位置調整手段により、前記第２の構造体に複数の箇所で押圧されることで、前記第２の構造体に取り付けられることを特徴とする請求項１に記載の架空電線の被覆切り込み用補助器具。
【請求項３】
前記位置調整手段として、前記第１の構造体は、前記本体部材の立設部のうち前記連接部側端に近接する位置から前記第２の構造体の外側立設部側に延びて前記外側立設部の前記架空電線側とは反対側の立面に設けられた複数の凹部のいずれかの内面と接する第１の突出部と、前記本体部から前記連結部材を挿通した後、更に前記第２の構造体の外側立設部の上下方向に延びる長孔を挿通して前記第２の構造体よりも外側に突出した第２の突出部と、前記本体部材の立設部のうち前記連接部とは反対側の端に近接する位置から前記第２の構造体側に延びて前記架空電線載せ部の前記架空電線とは反対側の立面と接する第３の突出部とを備えると共に、これらの３つの突出部は弾性手段が装着されて、前記第１の構造体の前記第１の突出部が前記第２の構造体の前記外側立設部を前記架空電線とは反対側から前記架空電線側に押圧し、前記第１の構造体の前記第３の突出部が前記第２の構造体の前記架空電線載せ部を前記架空電線とは反対側から前記架空電線側に押圧することを特徴とする請求項２に記載の架空電線の被覆切り込み用補助器具。
【請求項４】
前記第２の構造体の前記２つの外側立設部は、それぞれ前記切断用具の刃部の側面と接する板状の当接部位を有していることを特徴とする請求項１、２又は３のいずれかに記載の架空電線の被覆切り込み用補助器具。
【発明の詳細な説明】
【技術分野】
【０００１】
この発明は、芯線に絶縁被膜が覆われて成ると共に架空状態の電線の絶縁被膜に対し、電工ナイフ等の手で直接に扱うことができる切断用具を用いて電線の円周方向に沿って切り込みを入れる作業において、当該切断用具による作業を補助するための器具に関する。
【背景技術】
【０００２】
例えば芯線に絶縁被膜が覆われて成る電線の端末や中間部において、絶縁被膜に対し電線の円周方向に沿って切り込みを入れることで絶縁被覆の一部を架空電線から取り除く作業を行う場合がある。
【０００３】
そして、このような架空電線から絶縁被覆の一部を取り除く作業では、手で直接に扱うことができる切断用具として、例えば特許文献１に示されるような電工ナイフが用いられる。特許文献１に示される電工ナイフは、作業者が手で握る握り部と、この握り部から突出して電線の被覆を切断する刃部とを備えたもので、作業員の安全のために、架空電線に対し自分に近い側から自分より遠い側に向けて押し出す方向に刃部を動かすことにより被覆の切り込みを入れる作業が行われる。
【０００４】
一方で、特許文献１に示されるような電工ナイフ等の切断用具を用いず、代わりに、架空電線に特許文献２に示される電線被覆剥取用工具を装着して電線被覆剥取用工具の可動部を固定部に近接させて、刃を絶縁被覆に切り込ませた後に、電線被覆剥取用工具をバインド打ち器等の間接活線作業用工具で間接的に操作して、電線を中心として電線被覆剥取用工具を回転させることで、電線の被覆に対し電線の円周方向に沿った切り込みを入れることも公知となっている。
【先行技術文献】
【特許文献】
【０００５】
【特許文献１】特開２０１１−１６１０８０号公報
【特許文献２】特開２０１２−３９７５０号公報
【発明の概要】
【発明が解決しようとする課題】
【０００６】
もっとも、特許文献１の電工ナイフを用いた場合には、電線の絶縁被覆はビニル等の素材で成るため、絶縁被覆で覆われた状態の架空電線は滑りやすいことから、架空電線の絶縁被覆に電工ナイフの刃部が切り込まれ難く、架空電線の絶縁被覆に電工ナイフの刃部を繰り返して切り込ませる作業を行うという不都合が考えられる。これに伴い、特許文献１の電工ナイフでは、架空電線の絶縁被覆に対し同じ箇所に電工ナイフの刃部を重ねて切り込ませることができず、架空電線の絶縁被覆を電線の円周に沿った線状にきれいに切断することができないという不具合も考えられる。また、電工ナイフの刃部が架空電線の絶縁被覆に切り込まれないために、作業員が電工ナイフの刃部を自分側に引いてしまい、その結果、電工ナイフの刃部が架空電線の絶縁被覆の表面上を滑る等して、電工ナイフの刃部で作業員が手足等を切る等の怪我をするおそれもある。
【０００７】
一方で、特許文献２に示される電線被覆剥取用工具では、絶縁被覆に対し架空電線の円周方向に切り込みを入れるためには、バインド打ち器等の間接活線作業用工具を操作して、電線被覆剥取用工具を架空電線から落下しないように回転させる作業が必要であるので、架線の絶縁被覆の切り込み作業に熟練が必要となる。更に、特許文献２に示される電線被覆剥取用工具は、相対的に硬い素材で成る被覆で覆われた高圧用の架空電線（例えばＯＣ電線、ＯＥ電線）に対応できても、相対的に柔らかい素材（ビニル等）で覆われた低圧用の架空電線（例えばＣＶ電線）には上手く刃を切り込ませることができない場合がある。
【０００８】
そこで、本発明は、手で直接に扱うことができる切断用具による作業を補助するためのもので、架空電線の被覆への切り込み作業に熟練を必要とせずに、架空電線の被覆に対し架空電線の円周方向に切り込みを確実に入れられるようにして、刃が架空電線の被覆の表面を滑って作業員に怪我をさせることを防止した架空電線の被覆切り込み補助用器具を提供することを課題としている。
【課題を解決するための手段】
【０００９】
上記課題を達成するために、請求項１に記載の発明は、刃先及び前記刃先とは反対側に位置する背を有する刃部を備えた切断用具の前記刃部による架空電線の被覆の切り込みを補助するための架空電線の被覆切り込み用補助器具であって、刃部装着部と架空電線載せ部とを有し、前記刃部装着部は、前記切断用具の刃部が前記背を上方にしてその間に配置される２つの立設部と、前記２つの立設部同士を当該立設部の上端側にて連接し、前記刃部の背に上方から当接することができる連接部とを備え、前記架空電線載せ部は、前記刃部装着部の前記立設部よりも下方に配置されて、前記架空電線に下方から当接することができる載せ部本体を有することを特徴とする。切断用具は、例えば電工ナイフ等である。
【００１０】
これにより、架空電線載せ部の載せ本体に架空電線を載せ、切断用具を、刃部装着部の立設部間に、刃部の背が刃部装着部の連接部に接し且つ刃部の刃先が少なくとも架空電線に接した状態で装着した後、刃部の背が連接部に接した状態で切断用具の刃部の先端を下方に傾かせて、切断用具の刃部を架空電線の被覆に切り込ませ、そのまま切断用具と架空電線の被覆切り込み補助用器具とを架空電線に対して相対的に回転（約一周の回転）をさせることで、架空電線の被覆は架空電線の円周方向に沿って切り込まれる。
【００１１】
請求項２に記載の発明にあっては、前記刃部装着部を、前記２つの立設部及び、前記２つの立設部同士を当該立設部の上端側にて連接する前記連接部を有する本体部材と、前記本体部材に連結された連結部材とを有する第１の構造体として備え、前記架空電線載せ部を、前記第１の構造体とは別体であると共に、前記第１の部材の前記２つの立設部よりも外側にそれぞれ配置された２つの外側立板部と、前記２つの外側立設部を連接した前記載せ部本体とを有する第２の構造体として備え、前記第１の構造体は、前記連接部の前記載せ部本体からの距離を調整することが可能なように、位置調整手段により、前記第２の構造体に複数の箇所で押圧されることで、前記第２の構造体に取り付けられることを特徴とする。
【００１２】
これにより、第１の構造体の第２の構造体への取り付け位置を、第１の構造体の連接部の第２の構造体の載せ部本体からの距離を調整しつつ変更することによって、架空電線の直径や切断用具の刃部の背側から刃先までの寸法が多種多様であっても、架空電線載せ部の載せ本体に架空電線を載せ、切断用具を、刃部装着部の立設部間に、背部が刃部装着部の連接部に接し且つ刃部が架空電線に少なくとも接した状態で装着することができる。
【００１３】
そして、請求項３に記載の発明にあっては、前記位置調整手段として、前記第１の構造体は、前記本体部材の立設部のうち前記連接部側端に近接する位置から前記第２の構造体の外側立設部側に延びて前記外側立設部の前記架空電線側とは反対側の立面に設けられた複数の凹部のいずれかの内面と接する第１の突出部と、前記本体部から前記連結部材を挿通した後、更に前記第２の構造体の外側立設部の上下方向に延びる長孔を挿通して前記第２の構造体よりも外側に突出した第２の突出部と、前記本体部材の立設部のうち前記連接部とは反対側の端に近接する位置から前記第２の構造体側に延びて前記架空電線載せ部の前記架空電線とは反対側の立面と接する第３の突出部とを備えると共に、これらの３つの突出部は弾性手段が装着されて、前記第１の構造体の前記第１の突出部が前記第２の構造体の前記外側立設部を前記架空電線とは反対側から前記架空電線側に押圧し、前記第１の構造体の前記第３の突出部が前記第２の構造体の前記架空電線載せ部を前記架空電線とは反対側から前記架空電線側に押圧することを特徴とする。弾性手段は、例えばコイルバネ等である。
【００１４】
これにより、第１の突出部が接する外側立設部の凹部を、当該初期の凹部に対し上側の凹部や下側に位置する所望の凹部に変更しても、第１の突出部はこの所望の凹部の内面を押圧した状態になるので、第１の構造体は、第２の構造体に取り付けられた状態を維持することができる。
【００１５】
請求項４に記載の発明にあっては、前記第２の構造体の前記２つの外側立設部は、それぞれ前記切断用具の刃部の側面と接する板状の当接部位を有していることを特徴とする。
【００１６】
これにより、第２の構造体の外側立設部が切断用具の刃部の側面と当接する範囲が相対的に大きくなるので、切断用具をより安定した状態で保持することができる。
【発明の効果】
【００１７】
以上のように、本発明によれば、架空電線載せ部の載せ本体に架空電線を載せ、切断用具を、刃部装着部の立設部間に、刃部の背が刃部装着部の連接部に接し且つ刃部の刃先が少なくとも架空電線に接した状態で装着した後、刃部の背が連接部に接した状態で切断用具の刃部の先端を下方に傾かせて、切断用具の刃部を架空電線の被覆に切り込ませ、そのまま切断用具と架空電線の被覆切り込み補助用器具とを相対的に回転（約一周の回転）をさせることで、架空電線の被覆を架空電線の円周方向に沿って切り込ませることができる。よって、架空電線の被覆に対し切断用具を傾ける動作で確実に切り込みを入れることができるので、作業員が架空電線の被覆への切り込みの作業で怪我をするおそれがなくなり、当該作業についての熟練も必要なくなる。
【００１８】
特に請求項２に記載の発明によれば、第１の構造体の第２の構造体への取り付け位置を、第１の構造体の連接部の第２の構造体の載せ部本体からの距離を調整しつつ変更することによって、架空電線の直径や切断用具の刃部の背側から刃先までの寸法が多種多様であっても、架空電線載せ部の載せ本体に架空電線を載せ、切断用具を、刃部装着部の立設部間に、背部が刃部装着部の連接部に接し且つ刃部が架空電線に少なくとも接した状態で装着することができる。
【００１９】
特に請求項３に記載の発明によれば、第１の突出部が接する外側立設部の凹部を、当該初期の凹部に対し上側の凹部や下側に位置する所望の凹部に変更した後に、第１の突出部はこの所望の凹部の内面を押圧した状態になるので、第１の構造体が第２の構造体から外れてしまうことを防止することが可能である。
【００２０】
特に請求項４に記載の発明によれば、第２の構造体の外側立設部が切断用具の刃部の側面と当接する範囲が相対的に大きくなるため、切断用具の刃部を安定した状態で保持することができるので、切断用具の刃部が架空電線の被覆に斜めに入る等の不具合を防止することが可能である。
【図面の簡単な説明】
【００２１】
【図１】図１は、この発明の実施例１の架空電線の被覆切り込み補助用器具の構成が示されており、図１（ａ）は前記架空電線の被覆切り込み補助用器具の側面図、図１（ｂ）は前記架空電線の被覆切り込み補助用器具の背面図である。
【図２】図２は、架空電線を載せ、切断用具を装着した状態を示す実施例１の架空電線の被覆切り込み補助用器の背面図である。
【図３】図３は、架空電線を載せ、切断用具を装着した後、切断用具の刃部の先端を傾ける過程を示す実施例１の架空電線の被覆切り込み補助用器の背面図である。
【図４】図４は、この発明の実施例２の架空電線の被覆切り込み補助用器具を成す第１の構造体の構成が示されており、図４（ａ）は前記第１の構造体の側面図、図４（ｂ）は前記第１の構造体の背面図である。
【図５】図５は、この発明の実施例２の架空電線の被覆切り込み補助用器具を成す第２の構造体の構成が示されており、図５（ａ）は前記第２の構造体の側面図、図５（ｂ）は前記第２の構造体の背面図である。
【図６】図６は、この発明の実施例２の架空電線の被覆切り込み補助用器具の全体の構成が示されており、図６（ａ）は前記架空電線の被覆切り込み補助用器具の全体の側面図、図６（ｂ）は前記架空電線の被覆切り込み補助用器具の全体の側面図の背面図である。
【図７】図７は、架空電線を載せ、切断用具を装着した状態を示す実施例２の架空電線の被覆切り込み補助用器の背面図である。
【図８】図８は、架空電線を載せ、切断用具を装着した後、切断用具の刃部の先端を傾ける過程を示す実施例２の架空電線の被覆切り込み補助用器の背面図である。
【発明を実施するための形態】
【００２２】
以下、本発明の実施形態について添付図面を参照しながら説明する。
【実施例１】
【００２３】
図１から図３において、この発明に係る架空電線の被覆切り込み用補助器具（以下、被覆切り込み用補助器具）１の実施例１が示されている。
【００２４】
この被覆切り込み用補助器具１は、架空状態にあって芯線２０１とこの芯線２０１を覆う被覆２０２とからなる架空電線２００の被覆２０２に切込みを入れる作業に用いられるもので、刃部１０１と図示しない握り部とでなる切断用具１００の補助具として用いられる。切断用具１００は、例えば電工ナイフなどと称されるものである。切断用具１００の刃部１０１は、対象物を切るために鋭く尖った刃先と、この刃先とは反対側に位置した背とを有している。これらの点については、下記する実施例２に示される切断用具１００や架空電線２００も同様である。
【００２５】
実施例１の被覆切り込み用補助器具１は、刃部装着部２と架空電線載せ部３とが一体に形成されているものである。
【００２６】
刃部装着部２は、この実施例１では、使用時において、刃部１０１の背側から刃先に向けて上下に延びた状態となる２つの棒状の立設部２１、２２と、立設部２１、２２の一方端とそれぞれ連接する略逆Ｕ字の棒状の連接部２３とを有して構成されている。
【００２７】
この実施例１では、連接部２３の当該連接部２３の頂部近傍の内幅Ｌ１が刃部１０１の厚みと略同じになっており、刃部１０１をその背部が連接部２３の内周面のうち頂部側とは反対側の内周面２３ａに当接したときに刃部１０１の両側面に接する等して刃部１０１を保持することができるようになっている。もっとも、図示しないが、立設部２１、２２間の内幅も、刃部１０１の厚みと略同じにしても良い。
【００２８】
架空電線載せ部３は、この実施例１において、使用時では、刃部装着部２の連接部２３とは反対側、すなわち、刃部装着部２よりも下側に位置するものであり、３つの載せ部本体３１、３２、３３と、２つの接続部３４、３５とを有している。
【００２９】
載せ部本体３１、３２、３３は、棒状体のもので、側方（架空電線２００の軸方向）から見て円弧状をなしていると共に前方又は後方（架空電線２００の側方）から見て略Ｕ字状をなしている。
【００３０】
載せ部本体３１の載せ部本体３２側端と載せ部本体３２の載せ部本体３１側端、載せ部本体３２の載せ部本体３３側端と載せ部本体３３の載せ部本体３２側端とは連接されている。そして、載せ部本体３１の載せ部本体３２とは反対側端は接続部３４と連接し、載せ部本体３３の載せ部本体３２とは反対側端は接続部３５と連接している。更に、接続部３４の載せ部本体３１とは反対側端は立設部２１の下端と連接し、接続部３５の載せ部本体３３とは反対側端は立設部２２の下端と連接している。これにより、架空電線載せ部３の載せ部本体３２は、切断用具１００の刃部１０１が揺動しうる箇所から外れた状態となり、揺動した刃部１０１が当たらないようになっている。
【００３１】
刃部装着部２の内周面２３ａから載せ部本体３２の上面までの寸法は、所定の切断用具１００の刃部１０１の背側から刃先までの寸法と所定の架空電線２００の直径との総和と略同じになっている。すなわち、実施例１の被覆切り込み用補助器具１は、切断用具１００の寸法や種類、架空電線２００の直径によって、刃部装着部２の内周面２３ａから載せ部本体３２の上面までの寸法が異なるものを用意する場合があるが、被覆切り込み用補助器具１の構造が相対的に簡易であるので、被覆切り込み用補助器具１の製造コストの点において問題ない。
【００３２】
これにより、架空電線載せ部３に架空電線２００を載せると共に、切断用具１００の刃部１０１を、その背が連接部２３の内周面２３ａに当接するようにしつつ、立設部２１、２２間に通していくことで、図２及び図３の実線に示されるように、切断用具１００の刃部１０１は、刃先が架空電線２００の被覆２０２に接するか、若干切り込んだ状態となる。
【００３３】
そして、切断用具１００の刃部１０１の背が連接部２３の内周面２３ａに接した状態を維持しつつ切断用具１００の図示しない持ち手側を図３の矢印方向に持ち上げる。しかるに、図３の想像線に示されるように、切断用具１００は、内周面２３ａの切断用具１００の持ち手側の縁Ａを基準として斜め下方に向けて揺動し、刃部１０１の刃先が架空電線２００の被覆２０２に切り込まれる。よって、この状態で架空電線２００に対し切断用具１００と被覆切り込み用補助器具１とを架空電線２００の円周方向に回転させることで、架空電線２００に円周方向に沿って延び、且つ芯線２０１の表面までの切り込みが形成されて、被覆２０２のみの剥ぎ取りを図ることができる。
【実施例２】
【００３４】
図４から図８において、この発明に係る被覆切り込み用補助器具１の実施例２が示されている。この被覆切り込み用補助器具１は、刃部装着部２を有する第１の構造体４を備えると共に、架空電線載せ部３を有する第２の構造体１０を備えており、第1の構造体４と第２の構造体１０とは別部材である。
【００３５】
第１の構造体４は、図４に示されるように、更に、本体部材５と、２つの連結部材６、７とで構成されている。
【００３６】
本体部材５は、使用時において、刃部１０１の背側から刃先に向けて上下に延びた状態となる２つの板状の立設部５１、５２と、立設部５１、５２の一方端とそれぞれ連接する略逆Ｕ字のブロック体状の連接部５３とを有して構成されている。連接部５３は、この実施例では立設部５１、５２の一方端側部位が斜め上方に延びて、その上部に有した構成となっている。
【００３７】
この実施例２では、立設部５１と立設部５２との間の内幅の寸法Ｌ２は、切断用具１００の刃部１０１の厚みと略同じになっていると共に連接部５３の内周面５３ａは切断用具１００の刃部１０１の背が当接することができるようになっている。そして、立設部５１、５２は、図４（ａ）に示されるように、連接部５３の内周面５３ａよりも下方となる部位において、連接部５３の内周面５３ａ近傍部位よりも横幅の広い板状の当接部位５１ａ、５２ａを有している。これにより、立設部５１、５２間に切断用具１００の刃部１０１を装着したときに、刃部１０１の側面と当接する範囲が相対的に広くなるので、切断用具１００を安定した状態で両側から保持することができる。
【００３８】
そして、立設部５１、５２は、この実施例では、当接部位５１ａ、５２ａから連接部５３とは反対側において斜め上方に延びる延出部５１ｂ、５２ｂを有すると共に、延出部５１ｂ、５２ｂから外側の側方（架空電線２００の軸方向）に延びる円柱状の突出部５４、５５を有している。更に、立設部５１、５２は、当接部位５１ａ、５２ａの下方側で且つ突出部５４、５５よりも連接部５３側において、当接部位５１ａ、５２ａから外側の側方（架空電線２００の軸方向）に延びる円柱状の突出部５６、５７を有している。
【００３９】
連結部材６、７は、この実施例２では直線の板状の部材となっており、長手方向の一方端は、突出部５６、５７が挿通される通孔６１、７１が形成され、長手方向の他方端は外側の側方（架空電線２００の軸方向）に延びる円柱状の突出部５８、５９を有している。
【００４０】
そして、本体部材５と連結部材６、７とは、本体部材５の突出部５６、５７を連結部材６、７の通孔６１、７１に挿通させることで組み付けられている。更に、通孔６１、７１に挿通された状態の突出部５６、５７にコイルバネ３００の巻回部分３０１が装着され、コイルバネ３００の両側が直線状に延出されて、直線状部分３０２、３０３を形成されると共に、直線状部分３０２、３０３の端部が突出部５４、５５と、突出部５８、５９とに固定されている。なお、コイルバネ３００の直線状部分３０２、３０３の端は、単に突出部５４、５５と突出部５８、５９とに連結されているのみでなく、突出部５４、５５や突出部５８、５９の周囲を巻き回した後に連結しても良い。
【００４１】
このような構成とすることにより、第１の構造体４は、切断用具１００の刃部１０１が立設部５１、５２間に装着されるときに、突出部５４、５５が刃部１０１の先端に向けて付勢されると共に、突出部５８、５９も刃部１０１の先端に向けて付勢された状態となる。もっとも、コイルバネ３００に限定されず、上記付勢機能を発揮することが可能な弾性手段（単一の部材の弾性部材や複数の部材から成る弾性機構）であれば良い。
【００４２】
第２の構造体１０は、図５に示されるように、架空電線２００を載せるための架空電線載せ部３と、この架空電線載せ部３の上方に配置された位置調整部８とが一体に形成されてなるものである。
【００４３】
架空電線載せ部３の構成は、実施例１に示される架空電線載せ部３と同様であり、３つの載せ部本体３１、３２、３３と、２つの接続部３４、３５とで構成されている。架空電線載せ部３の構成の詳細は、既に実施例１で説明しているので、実施例２では省略する。
【００４４】
位置調整部８は、第１の構造体４との組み付け時に第１の構造体４の立設部５１、５２よりも側方の外側に位置する板状の外側立設部８１、８２と、外側立設部８１、８２をその上端にて連接する連接部８３とを有している。外側立設部８１、８２の下端は、架空電線載せ部３の接続部３４、３５と接続されている。
【００４５】
更に、外側立設部８１、８２の切断用具１００の刃部１０１とは反対側となる側部に、第１の構造体４の突出部５４、５５が係合可能な略半円状の凹部８４が複数上下に配置されている。更に、外側立設部８１、８２は、第１の構造体４の突出部５６、５７が挿通可能な通孔８５、８６が形成されており、この通孔８５、８６は、幅方向よりも上下方向の方が長い長孔となっている。
【００４６】
次に、第１の構造体４を構成した後、この第１の構造体４と第２の構造体１０とを組み付けると共に、第１の構造体４の位置調整の手順について、図６に基づいて説明する。
【００４７】
本体部材５の突出部５６、５７を連結部材６、７の通孔６１、７１に挿通した後、突出部５６、５７にコイルバネ３００の巻回部部分を装着し、突出部５４、５５にコイルバネ３００の直線状部分３０２を固定すると共に突出部５８、５９にコイルバネ３００の直線状部分３０３を固定して、第１の構造体４を構成する。
【００４８】
次に、第２の構造体１０の外側立設部８１、８２の通孔８５、８６に第１の構造体４の突出部５６、５７を挿通させると共に、第１の構造体４の突出部５４、５５を第２の構造体１０の凹部８４のいずれかに係合させ、第１の構造体４の突出部５８、５９を第２の構造体１０の接続部３４、３５と外側立設部８１、８２との間に当接させる。
【００４９】
これにより、第１の構造体４の突出部５４、５５が第２の構造体１０の凹部８４に係合しつつ外側立設部８１、８２を押圧すると共に、第１の構造体４の突出部５８、５９が第２の構造体１０の接続部３４、３５を押圧するので、第１の構造体４と第２の構造体１０とは、２つの点で押圧され、相互に堅固に組み付けられた状態となる。
【００５０】
そして、上記した第１の構造体４と第２の構造体１０とが組み付けられた状態から、本体部材５の連接部５３を手等で図６（ａ）の矢印に示すように図の右側（第２の構造体１０側）に動かしつつ上下に移動させることで、第１の構造体４の突出部５４、５５が凹部８４に係合した状態が解除されるので、突出部５４、５５を凹部８４から外して、他の凹部８４に係合させる。このとき、第２の構造体１０の外側立設部８１、８２に形成された通孔８５は、上下に延びる長孔になっているので、通孔８５に挿通された突出部５６、５７も通孔８５内を上下に変位する。そして、本体部材５の連接部５３から手を離す等をすることで、突出部５４、５５も第２の構造体１０を押圧しつつ所望の凹部８４に係合した状態に戻るので、再び、第１の構造体４と第２の構造体１０とは相互に堅固に組み付けられた状態となる。
【００５１】
これにより、切断用具１００の寸法や種類、架空電線２００の直径が多種多様であっても、1つの被覆切り込み用補助器具１で対応することが可能である。
【００５２】
図７及び図８を用いて、切断用具１００の刃部１０１により架空電線２００の被覆２０２に対し架空電線２００の円周方向に切り込みを入れる手順について説明する。
【００５３】
まず、架空電線載せ部３に架空電線２００を載せると共に、切断用具１００の刃部１０１を、その背が連接部５３の内周面５３ａに当接するようにしつつ、立設部５１、５２間に通していくことで、図７及び図８の実線に示されるように、切断用具１００の刃部１０１は、刃先が架空電線２００の被覆２０２に接するか、若干切り込んだ状態となる。
【００５４】
次に、切断用具１００の刃部１０１の背が連接部５３の内周面５３ａに接した状態を維持しつつ切断用具１００の図示しない持ち手側を図８の矢印方向に持ち上げる。しかるに、図８の想像線に示されるように、切断用具１００は、内周面５３ａの切断用具１００の持ち手側の縁Ｂを基準として斜め下方に向けて揺動し、刃部１０１の刃先が架空電線２００の被覆２０２に切り込まれる。よって、この状態で架空電線２００に対し切断用具１００と被覆切り込み用補助器具１とを架空電線２００の円周方向に回転させることで、架空電線２００に円周方向に沿って延び、且つ芯線２０１の表面までの切り込みが形成されて、被覆２０２のみの剥ぎ取りを図ることができる。
【００５５】
以上によれば、実施例１、実施例２の双方において、架空電線の被覆切り込み用補助器具１の連接部２３、５３の内周面２３ａ、５３ａに切断用具１００の刃部１０１の背が接した状態で、切断用具１００を傾ける動作のみで、刃部１０１の刃先が架空電線２００の被覆２０１に確実に切り込まれることから、作業に熟練を必要とせず、作業員が怪我をすることもない。
【符号の説明】
【００５６】
１  架空電線の被覆切り込み用補助器具
２  刃部装着部
２１、２２  立設部
２３  連接部
３  架空電線載せ部
４  第１の構造体
５  本体部材
５１、５２  立設部
５１ａ、５２ａ  当接部位
５４、５５  突出部
５６、５７  突出部
５８、５９  突出部
６  連結部材
８  位置調整部
８４  凹部
８５、８６  通孔
１０  第２の構造体
１００  切断用具
１０１  刃部
２００  架空電線
２０１  芯線
２０２  被覆
３００  コイルバネ
【図１】
2017212788.tif 000003
【図２】
2017212788.tif 000004
【図３】
2017212788.tif 000005
【図４】
2017212788.tif 000006
【図５】
2017212788.tif 000007
【図６】
2017212788.tif 000008
【図７】
2017212788.tif 000009
【図８】
2017212788.tif 000010